(57)【特許請求の範囲】
【請求項１】
部品実装装置が備える装着ヘッドに取り付けられ、上下方向に貫通する貫通穴を有した部品を真空吸着して基板に装着する吸着ツールであって、
前記装着ヘッド側の真空圧供給路に繋がる複数の内部管路の開口部である吸着口が前記部品との接触面である部品接触面に環状に並んで配置されており、これら複数の吸着口は前記部品接触面が前記部品の上面に接触された状態で前記部品の上面の外縁から外方にはみ出て位置する吸着口と前記部品接触面が前記部品の上面に接触された状態で前記部品の貫通穴の内方空間にはみ出た状態で吸着する吸着口とを有し、前記部品を吸着している状態で真空圧をリークさせることを特徴とする吸着ツール。
【請求項２】
前記部品は前記貫通穴が螺子穴であることを特徴とする請求項１に記載の吸着ツール。
【請求項３】
請求項１又は２に記載の吸着ツールを備えた装着ヘッドを用いて基板に部品を装着することを特徴とする部品実装装置。
【発明の詳細な説明】
【技術分野】
【０００１】
本発明は、部品実装装置が備える装着ヘッドに取り付けられ、上下方向に貫通する貫通穴を有した部品を真空吸着して基板に装着する吸着ツール及びこの吸着ツールを備えた部品実装装置に関するものである。
【背景技術】
【０００２】
部品実装装置は所定の位置に位置決めした基板に対して電子部品等の部品を装着する装置であり、部品の装着には基板に対して移動自在に設けられた装着ヘッドが用いられる。装着ヘッドは下方に延びたシャフト部材の下端に吸着ツールを取り付けており、この吸着ツールを介して部品を真空吸着する。吸着ツールは、装着ヘッド側の真空圧供給路と接続される内部管路が部品との接触面である部品接触面に開口して形成する吸着口を有しており、装着ヘッド側の真空圧供給路内から吸着ツールの内部管路内に真空圧を供給することで吸着口に真空吸着力を発生させ、部品接触面を部品の上面に接触させて部品を吸着するようになっている。
【０００３】
このような部品実装装置が備える吸着ツールの中には、上下方向に貫通する貫通穴（例えば螺子穴）を有した部品（穴開き部品）を真空吸着できるものとして、複数の内部管路の開口部（吸着口）が部品接触面に部品の上面の形状に対応した形状（環状）に並んで配置されたものが知られている（例えば、特許文献１）。このような吸着ツールを用いて穴開き部品を基板に装着する場合には、先ず、基板上の部品の目標装着位置に固定用の半田（或いは接着剤）を予め塗布しておき、複数の吸着口が部品の貫通穴の内方空間内にはみ出さないように吸着ツールの部品接触面を部品の上面に接触させ、複数の吸着口により部品を吸着した状態で装着ヘッドを移動させて部品を基板上の目標装着位置の上方に位置させる。そして、吸着ツールを下降させて部品の下面を基板の上面に接触させ、部品が基板の上面に接触したタイミングで吸着ツール内への真空圧の供給を停止（更には更に吸着ツール内に正圧を供給）してから吸着ツールを上昇させるようにする。
【先行技術文献】
【特許文献】
【０００４】
【特許文献１】特開平１１−３４６０９２号公報
【発明の概要】
【発明が解決しようとする課題】
【０００５】
しかしながら、上記のようにして穴開き部品を吸着ツールにより吸着して基板上に装着するにおいて、吸着ツールの中心軸と部品の貫通穴の中心軸がずれた状態で部品を吸着したために吸着ツールの複数の吸着口の一部が部品の貫通穴の内方空間内にはみ出た状態となっていた場合には、そのまま部品を基板上に接触させると、基板の上面と吸着ツールの部品接触面とによって挟まれた部品の貫通穴の内方空間内に高レベルの吸い出し力が作用し、基板上に塗布されていた半田等の異物が吸着ツールに吸い込まれて吸着ツールの内部管路及び装着ヘッド側の真空圧供給路内に付着することで部品の吸着力が低下する場合があるという問題点があった。
【０００６】
そこで本発明は、上下方向に貫通する貫通穴を有した部品を基板に装着した際に部品の貫通穴内の異物を吸い込みにくくした吸着ツール及び部品実装装置を提供することを目的とする。
【課題を解決するための手段】
【０００７】
請求項１に記載の吸着ツールは、部品実装装置が備える装着ヘッドに取り付けられ、上下方向に貫通する貫通穴を有した部品を真空吸着して基板に装着する吸着ツールであって、前記装着ヘッド側の真空圧供給路に繋がる複数の内部管路の開口部である吸着口が前記部品との接触面である部品接触面に環状に並んで配置されており、これら複数の吸着口は前記部品接触面が前記部品の上面に接触された状態で前記部品の上面の外縁から外方にはみ出て位置する吸着口と前記部品接触面が前記部品の上面に接触された状態で前記部品の貫通穴の内方空間にはみ出た状態で吸着する吸着口とを有し、前記部品を吸着している状態で真空圧をリークさせる。
【０００８】
請求項２に記載の吸着ツールは、請求項１に記載の吸着ツールであって、前記部品は前記貫通穴が螺子穴である。
【０００９】
請求項３に記載の部品実装装置は、請求項１又は２に記載の吸着ツールを備えた装着ヘッドを用いて基板に部品を装着する。
【発明の効果】
【００１０】
本発明では、部品接触面に環状に配置された複数の吸着口の少なくともひとつは部品接触面を部品の上面に接触させた状態で部品の上面の外縁から外方にはみ出て位置するようになっており、部品接触面を部品の上面に接触させて部品を吸着している状態では、そのはみ出て位置する吸着口から真空圧がリークした状態となるので、吸着ツールの複数の吸着口の一部が部品の貫通穴の内方空間内にはみ出た状態で部品を吸着し、その部品を基板上に接触させた場合であっても、部品の貫通穴の内方空間内に高レベルの吸い出し力は作用せず、吸着ツールが部品の貫通穴内の異物を吸い込みにくくすることができる。
【図面の簡単な説明】
【００１１】
【図１】本発明の一実施の形態における部品実装装置の構成図
【図２】本発明の一実施の形態における部品実装装置が備える吸着ツールの（ａ）上方斜視図（ｂ）下方斜視図
【図３】本発明の一実施の形態における吸着ツールを穴開き部品とともに示す一部断面側面図
【図４】（ａ）（ｂ）本発明の一実施の形態における吸着ツールにより吸着した穴開き部品を基板に装着する様子を示す図
【図５】（ａ）（ｂ）本発明の一実施の形態における吸着ツールにより吸着した穴開き部品を基板に装着する様子を示す図
【発明を実施するための形態】
【００１２】
以下、図面を参照して本発明の実施の形態について説明する。図１に示す部品実装装置１は、上下に貫通する貫通穴２ａ（例えば螺子穴）を有した部品（以下、穴開き部品と称する）２を基板３上に装着する装置であり、図示しない基台上に設けられて基板３の搬送と位置決めを行う基板搬送コンベア１１、穴開き部品２の供給を行う部品供給部としてのトレイ１２、基台上に設けられた直交軸ロボットから成る装着ヘッド移動機構１３によって基板搬送コンベア１１の上方を移動自在な装着ヘッド１４、装着ヘッド１４の側方に取り付けられた基板カメラ１５及び基台上に設けられた部品カメラ１６を備えている。
【００１３】
装着ヘッド１４には昇降自在及び上下軸回りに回転自在な複数のシャフト部材２１が設けられており、これら複数のシャフト部材２１のうちの一部の下端には穴開き部品２を吸着するための吸着ツール２２が取り付けられている。
【００１４】
基板カメラ１５は撮像視野を下方に向けており、装着ヘッド１４とともに移動して基板３上に設けられた基板マーク３ｍ（図１）を上方から撮像する。部品カメラ１６は撮像視野を上方に向けており、装着ヘッド１４が吸着ツール２２を介して吸着した穴開き部品２を下方から撮像する。
【００１５】
基板搬送コンベア１１は部品実装装置１が備える制御装置１７に制御されて作動し（図１）、基板３の搬送及び所定の作業位置への位置決めを行う。
【００１６】
装着ヘッド移動機構１３は制御装置１７に制御されて作動し（図１）、装着ヘッド１４を水平面内で移動させる。装着ヘッド１４が備えるシャフト部材２１の昇降動作及び回転動作は制御装置１７が図示しないアクチュエータ等から成るシャフト部材駆動機構３１の作動制御を行うことによってなされ（図１）、吸着ツール２２を介した穴開き部品２の吸着動作は制御装置１７が図示しないアクチュエータ等から成る吸着機構３２の作動制御を行うことによってなされる（図１）。
【００１７】
図１において、基板カメラ１５による撮像動作の制御と部品カメラ１６による撮像動作の制御は制御装置１７によってなされる。基板カメラ１５の撮像動作によって得られた画像データと部品カメラ１６の撮像動作によって得られた画像データはそれぞれ制御装置１７に送信され、制御装置１７の画像認識部１７ａにおいて画像認識処理がなされる。
【００１８】
図２（ａ），（ｂ）及び図３に示すように、吸着ツール２２は円筒形状の本体部４１、本体部４１の上面４１ａから上方に突出して設けられたシャフト部材挿入部４２及び本体部４１の下面である部品接触面４１ｂから下方に突出して延びた円錐台状の突出部４３を有して成る。シャフト部材挿入部４２は、シャフト部材２１の下端に下方から挿入されてシャフト部材２１に取り付けられる。
【００１９】
本体部４１の部品接触面４１ｂは穴開き部品２の上面２ｂ（図１及び図３）に接触される面であり、装着ヘッド１４側の真空圧供給路１４ａに繋がる複数の内部管路４４の開口部である吸着口４５が上記部品接触面４１ｂに環状に並んで配置されている。突出部４３は吸着ツール２２により穴開き部品２を吸着する際、穴開き部品２の貫通穴２ａの内部に上方から入り込み、これにより吸着ツール２２に対する穴開き部品２の大雑把な位置決めがなされるようになっている。複数の吸着口４５は、部品接触面４１ｂが穴開き部品２の上面２ｂに接触された状態において、少なくともひとつが穴開き部品２の上面２ｂの外縁から外方にはみ出て位置するような配置で部品接触面４１ｂに形成されている。
【００２０】
吸着ツール２２が装着ヘッド１４のシャフト部材２１の下端に取り付けられた状態では、装着ヘッド１４側の真空圧供給路１４ａと吸着ツール２２の各内部管路４４は連通した状態となる（図３）。このため吸着機構３２から装着ヘッド１４内の真空圧供給路１４ａ内に真空圧を供給することにより（空気の流れを図３において破線で示す）、吸着ツール２２の複数の吸着口４５に真空吸着力を発生させることができる。
【００２１】
次に、本実施の形態における部品実装装置１による穴開き部品２の基板３への装着作業について説明する。
【００２２】
部品実装装置１による穴開き部品２の基板３への装着作業では、制御装置１７は先ず、基板搬送コンベア１１を作動させて部品実装装置１の上流工程側の装置から送られてきた基板３を受け取って搬送し、その基板３を所定の作業位置に位置決めする。制御装置１７は、基板３を作業位置に位置決めしたら、装着ヘッド移動機構１３の作動制御を行って装着ヘッド１４を移動させ、基板カメラ１５に基板３上の一対の基板マーク３ｍの撮像を行わせる。制御装置１７は、一対の基板マーク３ｍの画像データが得られたら、その基板マーク３ｍの画像認識を行って基板３の基準位置からの位置ずれを求める。
【００２３】
制御装置１７は、基板３の基準位置からの位置ずれを求めたら、装着ヘッド移動機構１３の作動制御を行って装着ヘッド１４をトレイ１２の上方に位置させるとともに、シャフト部材駆動機構３１及び吸着機構３２の作動制御を行って装着ヘッド１４が備える吸着ツール２２に穴開き部品２を吸着させる。
【００２４】
この吸着ツール２２による穴開き部品２の吸着では、吸着ツール２２が備える突出部４３をトレイ１２上の穴開き部品２の貫通穴２ａに上方から挿入させるようにして吸着ツール２２の部品接触面４１ｂを穴開き部品２の上面２ｂに接触させたうえで、吸着機構３２を作動させ、装着ヘッド１４側の真空圧供給路１４ａから吸着ツール２２の内部管路４４内に真空圧を供給する。これにより穴開き部品２は吸着ツール２２に吸着（真空吸着）される。
【００２５】
この部品接触面４１ｂを穴開き部品２の上面２ｂに接触させて穴開き部品２を吸着している状態では、吸着ツール２２の部品接触面４１ｂに環状に配置された複数の吸着口４５の少なくともひとつは穴開き部品２の上面２ｂの外縁から外方にはみ出て位置しており、そこから真空圧はリークしているので、吸着ツール２２による穴開き部品２の吸着力はそのリーク分だけ弱められた状態となっている。
【００２６】
制御装置１７は、吸着ツール２２に穴開き部品２を吸着させたら、装着ヘッド１４を移動させて、穴開き部品２が部品カメラ１６の上方を通過するようにする。そして、部品カメラ１６に穴開き部品２の撮像を行わせ、得られた画像データに基づく画像認識を行って、吸着ツール２２に対する穴開き部品２の位置ずれを算出する。
【００２７】
制御装置１７は、穴開き部品２の撮像及び画像認識を行って吸着ツール２２に対する穴開き部品２の位置ずれを算出したら、装着ヘッド移動機構１３の作動制御を行って、装着ヘッド１４を基板３の上方に位置させ、穴開き部品２が基板３上の目標装着位置の上方に位置するようにする（図４（ａ）又は図５（ａ））。この基板３上の目標装着位置には、穴開き部品２を基板３上に固定するための半田Ｈｄ（或いは接着剤）が塗布されている。
【００２８】
制御装置１７は、穴開き部品２を基板３上の目標装着位置の上方に位置させたら、シャフト部材２１を装着ヘッド１４に対して下動させて穴開き部品２を下降させて（図４（ａ）又は図５（ａ）中に示す矢印Ａ）、穴開き部品２を基板３の目標装着位置に接触させる（図４（ｂ）又は図５（ｂ））。
【００２９】
この穴開き部品２を基板３上に接触させるにおいて、吸着ツール２２の複数の吸着口４５のいずれもが穴開き部品２の貫通穴２ａの内方空間内にはみ出ていない状態では（図４（ａ）→図４（ｂ））、基板３の上面と吸着ツール２２の部品接触面４１ｂとによって挟まれた穴開き部品２の貫通穴２ａの内方空間内に高レベルの吸い出し力が作用しないのは勿論であるが、吸着ツール２２の中心軸と穴開き部品２の貫通穴２ａの中心軸がずれた状態で穴開き部品２を吸着したために、吸着ツール２２の複数の吸着口４５の一部が穴開き部品２の貫通穴２ａの内方空間内にはみ出ている状態であっても（図５（ａ）→図５（ｂ））、基板３の上面と吸着ツール２２の部品接触面４１ｂとによって挟まれた穴開き部品２の貫通穴２ａの内方空間内に高レベルの吸い出し力は作用しない。
【００３０】
これは、前述したように、部品接触面４１ｂに環状に配置された複数の吸着口４５の少なくともひとつが部品接触面４１ｂを穴開き部品２の上面２ｂに接触させた状態で穴開き部品２の上面２ｂの外縁から外方にはみ出て位置し、そこから真空圧がリークしているからである。これにより穴開き部品２の貫通穴２ａの内方空間内の半田Ｈｄは、吸着口４５から装着ヘッド１４の側に吸い出されることなく、基板３上にとどまることとなる。
【００３１】
制御装置１７は、上記のようにして穴開き部品２を基板３に接触させたら、吸着機構３２の作動制御を行って吸着ツール２２による穴開き部品２の真空吸着を解除し、装着ヘッド１４に対してシャフト部材２１を上動させる。これによりひとつの穴開き部品２が基板３上の目標装着位置に装着された状態となる。
【００３２】
制御装置１７は上記のようにしてひとつの穴開き部品２を基板３上に装着したら、まだ穴開き部品２を装着していない基板３上の目標装着位置に対して穴開き部品２の装着を行う。このようにして基板３に装着すべき全ての穴開き部品２を基板３上に装着したら、制御装置１７は基板搬送コンベア１１を作動させて、基板３を部品実装装置１の下流工程側の装置に搬出する。なお、基板３上に装着された穴開き部品２は、その下流工程側において、別途用意される図示しないカバー部材の螺子止め等に使用される。
【００３３】
以上説明したように、部品実装装置１が備える装着ヘッド１４に取り付けられ、上下方向に貫通する貫通穴２ａを有した穴開き部品２を真空吸着して基板３に装着する吸着ツール２２は、装着ヘッド１４側の真空圧供給路１４ａに繋がる複数の内部管路４４の開口部である吸着口４５が穴開き部品２との接触面である部品接触面４１ｂに環状に並んで配置され、これら複数の吸着口４５の少なくともひとつは部品接触面４１ｂが穴開き部品２の上面２ｂに接触された状態で穴開き部品２の上面２ｂの外縁から外方にはみ出て位置する構成となっているので、部品接触面４１ｂを穴開き部品２の上面２ｂに接触させて穴開き部品２を吸着している状態では、そのはみ出て位置する吸着口４５から真空圧がリークした状態となる。このため、吸着ツール２２の複数の吸着口４５の一部が穴開き部品２の貫通穴２ａの内方空間内にはみ出た状態で部品を吸着し、その穴開き部品２を基板３上に接触させた場合であっても、穴開き部品２の貫通穴２ａの内方空間内に高レベルの吸い出し力は作用せず、吸着ツール２２が穴開き部品２の貫通穴２ａ内の半田Ｈｄ等の異物を吸い込みにくくすることができる。
【００３４】
また、このような吸着ツール２２を備えた装着ヘッド１４を用いて基板３に穴開き部品２を装着する部品実装装置１は、異物の吸い込みの少ない状態で穴開き部品２の基板３への装着を行うことができるので、不良基板の発生頻度の少ない生産効率の高いものとなる。
【産業上の利用可能性】
【００３５】
上下方向に貫通する貫通穴を有した部品を基板に装着した際に部品の貫通穴内の異物を吸い込みにくくした吸着ツール及び部品実装装置を提供する。
【符号の説明】
【００３６】
１  部品実装装置
２  穴開き部品（部品）
２ａ  貫通穴
２ｂ  穴開き部品の上面（部品の上面）
１４  装着ヘッド
１４ａ  真空圧供給路
２２  吸着ツール
４１ｂ  部品接触面
４４  内部管路
４５  吸着口
【図１】
0005895127.tif 000002
【図２】
0005895127.tif 000003
【図３】
0005895127.tif 000004
【図４】
0005895127.tif 000005
【図５】
0005895127.tif 000006